【手続補正書】
【提出日】平成20年3月28日(2008.3.28)
【手続補正１】
【補正対象書類名】明細書
【補正対象項目名】発明の名称
【補正方法】変更
【補正の内容】
【発明の名称】情報処理装置および情報処理装置の制御方法および記憶媒体
【手続補正２】
【補正対象書類名】明細書
【補正対象項目名】特許請求の範囲
【補正方法】変更
【補正の内容】
【特許請求の範囲】
【請求項１】  ネットワークを介してネットワークデバイスに接続された情報処理装置であって、
前記ネットワーク上のネットワークデバイスに対してブロードキャストパケットを送信する送信手段と、
前記送信手段が送信したブロードキャストパケットに対する応答パケットを、前記ネットワーク上のネットワークデバイスから受信する受信手段と、
前記受信手段が受信した応答パケットを送信したネットワークデバイスのうち、ネットワーク設定を行うべきネットワークデバイスを特定する特定手段と、
前記特定手段により特定されたネットワークデバイスを識別可能にユーザに提示する提示手段と、
前記提示手段による提示に基づいてユーザにより選択されたネットワークデバイスに対して、前記ネットワークを介してネットワーク設定を行う設定手段と、
を備えることを特徴とする情報処理装置。
【請求項２】  前記応答パケットには、当該応答パケットを送信したネットワークデバイスに設定されているＩＰアドレスが含まれていることを特徴とする請求項１に記載の情報処理装置。
【請求項３】  前記受信手段が受信した応答パケットに含まれるＩＰアドレスのネットワーク部の値が所定の値と一致するか否かを判定する第１の判定手段を更に備え、
前記特定手段は、前記第１の判定手段による判定の結果、前記受信手段が受信した応答パケットに含まれるＩＰアドレスのネットワーク部の値が前記所定の値と一致しないと判定された場合に、当該応答パケットを送信したネットワークデバイスを、ネットワーク設定を行うべきネットワークデバイスとして特定することを特徴とする請求項２に記載の情報処理装置。
【請求項４】  前記第１の判定手段は、前記受信手段が受信した応答パケットに含まれるＩＰアドレスのネットワーク部の値が、前記情報処理装置に設定されているＩＰアドレスのネットワーク部の値と一致するか否かを判定することを特徴とする請求項３に記載の情報処理装置。
【請求項５】  前記応答パケットには、当該応答パケットを送信したネットワークデバイスに設定されているネットワーク設定を示す情報が含まれていることを特徴とする請求項１に記載の情報処理装置。
【請求項６】  前記受信手段が受信した応答パケットに含まれる前記情報に基づいて、当該応答パケットを送信したネットワークデバイスのネットワーク設定が、工場出荷時のネットワーク設定と一致するか否かを判定する第２の判定手段を更に備え、
前記特定手段は、前記第２の判定手段による判定の結果、前記ネットワーク上のネットワークデバイスのうち、設定されているネットワーク設定が工場出荷時のネットワーク設定と一致するネットワークデバイスを、ネットワーク設定を行うべきネットワークデバイスとして特定することを特徴とする請求項５に記載の情報処理装置。
【請求項７】  前記提示手段は、前記特定手段により特定されたネットワークデバイスを示す情報を表示手段に表示することにより、当該特定されたネットワークデバイスをユーザに提示することを特徴とする請求項１から６のいずれか１項に記載の情報処理装置。
【請求項８】  前記提示手段は、前記特定手段により特定されたネットワークデバイス以外のネットワークデバイスを示す情報は前記表示手段に表示しないことを特徴とする請求項７に記載の情報処理装置。
【請求項９】  ネットワークを介してネットワークデバイスに接続された情報処理装置の制御方法であって、
前記ネットワーク上のネットワークデバイスに対してブロードキャストパケットを送信する送信ステップと、
前記送信ステップで送信したブロードキャストパケットに対する応答パケットを、前記ネットワーク上のネットワークデバイスから受信する受信ステップと、
前記受信ステップで受信した応答パケットを送信したネットワークデバイスのうち、ネットワーク設定を行うべきネットワークデバイスを特定する特定ステップと、
前記特定ステップで特定されたネットワークデバイスを識別可能にユーザに提示する提示ステップと、
前記提示ステップにおける提示に基づいてユーザにより選択されたネットワークデバイスに対して、前記ネットワークを介してネットワーク設定を行う設定ステップと、
を備えることを特徴とする情報処理装置の制御方法。
【請求項１０】  ネットワークを介してネットワークデバイスに接続された情報処理装置に、
前記ネットワーク上のネットワークデバイスに対してブロードキャストパケットを送信する送信ステップと、
前記送信ステップで送信したブロードキャストパケットに対する応答パケットを、前記ネットワーク上のネットワークデバイスから受信する受信ステップと、
前記受信ステップで受信した応答パケットを送信したネットワークデバイスのうち、ネットワーク設定を行うべきネットワークデバイスを特定する特定ステップと、
前記特定ステップで特定されたネットワークデバイスを識別可能にユーザに提示する提示ステップと、
前記提示ステップにおける提示に基づいてユーザにより選択されたネットワークデバイスに対して、前記ネットワークを介してネットワーク設定を行う設定ステップと、
を実行させるためのプログラムを記録したコンピュータが読み取り可能な記憶媒体。
【手続補正３】
【補正対象書類名】明細書
【補正対象項目名】０００１
【補正方法】変更
【補正の内容】
【０００１】
【発明の属する技術分野】
本発明は、ネットワークを介して所定の処理を行うネットワークデバイスに対する設定を行う情報処理装置および情報処理装置の制御方法および記憶媒体に関するものである。
【手続補正４】
【補正対象書類名】明細書
【補正対象項目名】００１１
【補正方法】変更
【補正の内容】
【００１１】
本発明は、上記の問題点を解決するためになされたもので、本発明の目的は、  ネットワークを介してネットワークデバイスに接続された情報処理装置において、前記ネットワーク上のネットワークデバイスに対してブロードキャストパケットを送信し、該送信したブロードキャストパケットに対する応答パケットを、前記ネットワーク上のネットワークデバイスから受信し、該受信した応答パケットを送信したネットワークデバイスのうち、ネットワーク設定を行うべきネットワークデバイスを特定し、該特定されたネットワークデバイスを識別可能にユーザに提示し、該提示に基づいてユーザにより選択されたネットワークデバイスに対して、前記ネットワークを介してネットワーク設定を行うことにより、ネットワーク設定処理を効率よく行うことを可能にする情報処理装置およびその制御方法および記憶媒体を提供することである。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
【問題を解決するための手段】
本発明は、ネットワークを介してネットワークデバイスに接続された情報処理装置であって、前記ネットワーク上のネットワークデバイスに対してブロードキャストパケットを送信する送信手段と、前記送信手段が送信したブロードキャストパケットに対する応答パケットを、前記ネットワーク上のネットワークデバイスから受信する受信手段と、前記受信手段が受信した応答パケットを送信したネットワークデバイスのうち、ネットワーク設定を行うべきネットワークデバイスを特定する特定手段と、前記特定手段により特定されたネットワークデバイスを識別可能にユーザに提示する提示手段と、前記提示手段による提示に基づいてユーザにより選択されたネットワークデバイスに対して、前記ネットワークを介してネットワーク設定を行う設定手段とを備えることを特徴とする
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
また、本発明は、ネットワークを介してネットワークデバイスに接続された情報処理装置の制御方法であって、前記ネットワーク上のネットワークデバイスに対してブロードキャストパケットを送信する送信ステップと、前記送信ステップで送信したブロードキャストパケットに対する応答パケットを、前記ネットワーク上のネットワークデバイスから受信する受信ステップと、前記受信ステップで受信した応答パケットを送信したネットワークデバイスのうち、ネットワーク設定を行うべきネットワークデバイスを特定する特定ステップと、  前記特定ステップで特定されたネットワークデバイスを識別可能にユーザに提示する提示ステップと、前記提示ステップにおける提示に基づいてユーザにより選択されたネットワークデバイスに対して、前記ネットワークを介してネットワーク設定を行う設定ステップとを備えることを特徴とする。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】変更
【補正の内容】
【００２９】
また、本発明は、ネットワークを介してネットワークデバイスに接続された情報処理装置に、前記ネットワーク上のネットワークデバイスに対してブロードキャストパケットを送信する送信ステップと、前記送信ステップで送信したブロードキャストパケットに対する応答パケットを、前記ネットワーク上のネットワークデバイスから受信する受信ステップと、前記受信ステップで受信した応答パケットを送信したネットワークデバイスのうち、ネットワーク設定を行うべきネットワークデバイスを特定する特定ステップと、前記特定ステップで特定されたネットワークデバイスを識別可能にユーザに提示する提示ステップと、前記提示ステップにおける提示に基づいてユーザにより選択されたネットワークデバイスに対して、前記ネットワークを介してネットワーク設定を行う設定ステップとを実行させるためのプログラムを記憶媒体にコンピュータが読み取り可能に記録させたものである。
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００９７
【補正方法】変更
【補正の内容】
【００９７】
【発明の効果】
以上説明したように、本発明によれば、ネットワークを介してネットワークデバイスに接続された情報処理装置において、前記ネットワーク上のネットワークデバイスに対してブロードキャストパケットを送信し、該送信したブロードキャストパケットに対する応答パケットを、前記ネットワーク上のネットワークデバイスから受信し、該受信した応答パケットを送信したネットワークデバイスのうち、ネットワーク設定を行うべきネットワークデバイスを特定し、  該特定されたネットワークデバイスを識別可能にユーザに提示し、該提示に基づいてユーザにより選択されたネットワークデバイスに対して、前記ネットワークを介してネットワーク設定を行うことにより、ネットワーク設定処理を効率よく行うことが可能となる。